(57)【要約】【課題】ブルーレーザーを含む多種の波長のレーザーに対応しても薄型化，小型化，特性劣化抑制の少なくとも一つを実現できる光ピックアップ装置及び光ディスク装置を提供する。【解決手段】第１の波長の光を出射する第１の光学ユニットと、第１の波長よりも長い波長の光を少なくとも１つ以上出射する２の光学ユニットと、光ディスク１から反射してきた光を受光する受光手段と、第１の波長の球面収差を補正する補正手段と、第１の波長の光と第１の波長よりも長い波長の光をほぼ同じ光学経路に導く光学手段と、光学手段からの光を集光される集光手段と、集光手段と補正手段の間にビーム径を拡大させるビーム径拡大手段とを備え、光路中において第１の波長光は少なくとも一つの焦点を結ぶように構成された。【選択図】図１
2005100513.tif 000002
【特許請求の範囲】
【請求項１】
第１の波長の光を出射する第１の光学ユニットと、前記第１の波長よりも長い波長の光を少なくとも１つ以上出射する第２の光学ユニットと、光ディスクから反射してきた光を受光する受光手段と、第１の波長の球面収差を補正する補正手段と、前記第１の波長の光と前記第１の波長よりも長い波長の光をほぼ同じ光学経路に導く光学手段と、前記光学手段からの光を集光される集光手段と、前記集光手段と前記補正手段の間にビーム径を拡大させるビーム径拡大手段とを備え、前記第１の光学ユニットから出射された前記第１の波長の光は前記補正手段，前記ビーム径拡大手段，前記光学手段を経由して前記集光手段によって集光されて光ディスクに照射されるとともに、前記光ディスクで反射した前記第１の波長の光は、前記集光手段，前記光学手段，前記補正手段を経由して前記受光素子に入射され、しかも光路中において前記第１の波長光は少なくとも一つの焦点を結ぶように構成されたことを特徴とする光ピックアップ装置。
【請求項２】
第１の光学ユニットには１つのレーザーダイオードを搭載し、第２の光学ユニットには複数のレーザーダイオードを個別に搭載するか或いは一つの部材に複数の発光層を有するレーザーダイオードを搭載したことを特徴とする請求項１記載の光ピックアップ装置。
【請求項３】
第１の光学ユニットに搭載されるレーザーダイオードは略青色から略青紫色の光を出射し、第２の光学ユニットに搭載されるレーザーダイオードは略赤外から略赤色の光を出射することを特徴とする請求項２記載の光ピックアップ装置。
【請求項４】
第１の光学ユニットと補正手段の間に、コリメータレンズを設けたことを特徴とする請求項１記載の光ピックアップ装置。
【請求項５】
第１の光学ユニットと補正手段の間に、光のビーム形を整形するビーム整形手段を用いたことを特徴とする請求項１記載の光ピックアップ装置。
【請求項６】
第１の光学ユニットと補正手段の間に、臨界角光学手段を設けたことを特徴とする請求項１記載の光ピックアップ装置。
【請求項７】
ビーム径拡大手段を一対の集光部材を組み合わせて構成したことを特徴とする請求項１記載の光ピックアップ装置。
【請求項８】
補正手段を反射型ミラーとし、前記反射ミラーは変形可能であることを特徴とする請求項１記載の光ピックアップ装置。
【請求項９】
反射ミラーはピエゾ素子によって変位可能としたことを特徴とする請求項８記載の光ピックアップ装置。
【請求項１０】
受光手段は、少なくとも２つに分割され、第１の受光手段は第１の光学ユニットに取り付けられ、第１の波長の光を受光し、第２の受光手段は第２の光学ユニットに取り付けられ、前記第１の波長よりも波長の長い光を受光することを特徴とする請求項１記載の光ピックアップ装置。
【請求項１１】
集光手段は、少なくとも第１の波長の光を主に集光する第１集光部と、前記第１の波長よりも長い波長を有する光を主に集光する第２の集光部とを備えたことを特徴とする請求項１記載の光ピックアップ装置。
【請求項１２】
第１及び第２の光学ユニット側から第１集光部と第２集光部を順に併設したことを特徴とする請求項１１記載の光ピックアップ装置。
【請求項１３】
集光手段と光学手段の間に少なくとも第１、第２及び第３の斜面を有した立ち上げ手段とを備え、前記第１の斜面は第１の波長の光か前記第１の波長よりも波長の長い光の一方を透過させるとともに他方の光を反射させ、前記第２の傾斜面は前記一方の光を反射させ、第３の斜面で透過屈折させ、前記第１傾斜面で反射された光は第１の集光部に、第３傾斜面から出た光は第２の集光部の一方に入射されることを特徴とする請求項１１記載の光ピックアップ装置。
【請求項１４】
第２の光学ユニットと複数のレーザ光を略同軸上に導くビームスプリッターとの間に、リレーレンズを設けたことを特徴とする請求項１記載の光ピックアップ装置。
【請求項１５】
集光部材として一対の凸レンズを用いたことを特徴とする請求項７記載の光ピックアップ装置。
【請求項１６】
ビーム径拡大手段の内、焦点距離が短い凸レンズの焦点距離と、補正手段用の反射ミラー間距離が略一致させたことを特徴とする請求項１５記載の光ピックアップ装置。
【請求項１７】
ビーム径拡大手段の間に、光学手段を設けたことを特徴とする請求項１記載の光ピックアップ装置。
【請求項１８】
第１の光学ユニットから出た光は、少なくとも１箇所クロスさせたことを特徴とする請求項１記載の光ピックアップ装置。
【請求項１９】
複数のレーザ光を略同軸上に導く光学手段において、波長が略４０５ｎｍは反射で、波長６６０ｎｍ及び７８０ｎｍに対しては透過であることを特徴とする請求項１記載の光ピックアップ装置。
【請求項２０】
第２の光学ユニットから出射された光は直線的に光学部材に入射され、第１の光源ユニットは複数回反射されて、光学部材に入射されることを特徴とする請求項１記載の光ピックアップ装置。
【請求項２１】
第２の光学ユニットから出射された光と第１の光学ユニットから出射された光は交差する様に前記第１及び第２の光学ユニットを配置したことを特徴とする請求項１記載の光ピックアップ装置。
【請求項２２】
第１の光学ユニットはループさせて集光手段に導くことを特徴とする請求項１記載の光ピックアップ装置。
【請求項２３】
光ディスクを回転させる駆動手段と、請求項１〜２２いずれか１記載の光ピックアップ装置を搭載し前記駆動手段に対して移動可能に取り付けられたキャリッジとを備えたことを特徴とする光ディスク装置。
【発明の詳細な説明】
【技術分野】
【０００１】
本発明は、ＤＶＤ等の高密度記録ディスク、コンパクトディスク等の光ディスクにおける記録再生に使用される光ピックアップ装置及び光ディスク装置に関するものである。
【背景技術】
【０００２】
光ディスク装置において、赤外レーザーや赤色レーザーなどの長波長レーザーを出射するレーザーダイオードを用いられていたが、最近では、ブルーレーザーを用いて、上記各レーザーを用いた場合よりも高密度記録を行うようになってきた。
【特許文献１】特開平１１−２２４４３６号公報
【特許文献２】特開２０００−１２３３９４号公報
【特許文献３】特開平１０−３３４４９４号公報
【発明の開示】
【発明が解決しようとする課題】
【０００３】
しかしながら、ブルーレーザーに対応した光ディスクを記録再生するビデオレコーダーでは、装置自体が非常に大きいために、光学系にブルーレーザーを用いてもビームエキスパンダなどの手段を用いて容易に光学設計が容易であり、しかもブルーレーザーに対応した光ディスクと赤色レーザーに対応した光ディスクの双方に記録再生を行える場合においても、装置が非常に大きいので、波長に応じた別々の光学系を装置内に構成できるので、特に何ら問題点は生じない。
【０００４】
しかしながら、上記波長が異なる２つの光ディスクに記録か再生の少なくとも一方を行うことができ、しかもノートブックパソコン等の電子機器に組み込まれる比較的、薄型で小型の光ディスクドライブ装置においては、ブルーレーザー，赤外レーザー，赤色レーザーの各光に対応した光学系を設けることは不可能であり、しかもブルーレーザーは球面収差が他のレーザーよりも大きく、共通の光学系で処理することは非常に困難であり、しかも光学系を集積化することで、光学特性の劣化を生じる。
【０００５】
本発明は、前記従来の課題を解決するもので、ブルーレーザーを含む多種の波長のレーザーに対応しても薄型化，小型化，特性劣化抑制の少なくとも一つを実現できる光ピックアップ装置及び光ディスク装置を提供することを目的としている。
【課題を解決するための手段】
【０００６】
本発明は、第１の波長の光を出射する第１の光学ユニットと、第１の波長よりも長い波長の光を少なくとも１つ以上出射する２の光学ユニットと、光ディスクから反射してきた光を受光する受光手段と、第１の波長の球面収差を補正する補正手段と、第１の波長の光と第１の波長よりも長い波長の光をほぼ同じ光学経路に導く光学手段と、光学手段からの光を集光される集光手段と、集光手段と補正手段の間にビーム径を拡大させるビーム径拡大手段とを備え、第１の光学ユニットから出射された第１の波長の光は補正手段，ビーム径拡大手段，光学手段を経由して集光手段によって集光されて光ディスクに照射されるとともに、光ディスクで反射した第１の波長の光は、集光手段，光学手段，補正手段を経由して受光素子に入射され、しかも光路中において第１の波長光は少なくとも一つの焦点を結ぶように構成された。
【発明の効果】
【０００７】
本発明は、上記構成によって、第１の波長の光は補正手段を介して第１の光学ユニットに入出射させることで、他の波長の光と共通の光学系を用いることができ、しかも第２の
光学ユニットに複数のしかも波長に近い光源を搭載できるので、構成が簡単にできるので、装置の小型化もしくは薄型の少なくとも一方を実現できる。
【発明を実施するための最良の形態】
【０００８】
請求項１記載の発明は、第１の波長の光を出射する第１の光学ユニットと、前記第１の波長よりも長い波長の光を少なくとも１つ以上出射する第２の光学ユニットと、光ディスクから反射してきた光を受光する受光手段と、第１の波長の球面収差を補正する補正手段と、前記第１の波長の光と前記第１の波長よりも長い波長の光をほぼ同じ光学経路に導く光学手段と、前記光学手段からの光を集光される集光手段と、前記集光手段と前記補正手段の間にビーム径を拡大させるビーム径拡大手段とを備え、前記第１の光学ユニットから出射された前記第１の波長の光は前記補正手段，前記ビーム径拡大手段，前記光学手段を経由して前記集光手段によって集光されて光ディスクに照射されるとともに、前記光ディスクで反射した前記第１の波長の光は、前記集光手段，前記光学手段，前記補正手段を経由して前記受光素子に入射され、しかも光路中において前記第１の波長光は少なくとも一つの焦点を結ぶように構成されたことを特徴とする光ピックアップ装置であり、出射される波長に極めて大きな差が生じている装置においても、特性の劣化を防止したまま、構成が簡単にできるので、装置の小型化もしくは薄型の少なくとも一方を実現できる。
【０００９】
請求項２記載の発明は、第１の光学ユニットには１つのレーザーダイオードを搭載し、第２の光学ユニットには複数のレーザーダイオードを個別に搭載するか或いは一つの部材に複数の発光層を有するレーザーダイオードを搭載したことを特徴とする請求項１記載の光ピックアップ装置であり、構成が簡単になり、小型化／薄型化を実現できる。
【００１０】
請求項３記載の発明は、第１の光学ユニットに搭載されるレーザーダイオードは略青色から略青紫色の光を出射し、第２の光学ユニットに搭載されるレーザーダイオードは略赤外から略赤色の光を出射することを特徴とする請求項２記載の光ピックアップ装置であり、高密度記録対応の光ディスクと、従来からの記録密度の光ディスクの双方に対して、データの記録か再生の少なくとも一方を実現できる。
【００１１】
請求項４記載の発明は、第１の光学ユニットと補正手段の間に、コリメータレンズを設けたことを特徴とする請求項１記載の光ピックアップ装置であり、第１の光学ユニットから放出された光を略平行光に変換できるので、光学経路を比較的長くしても、光の損失が比較的少なくなる。
【００１２】
請求項５記載の発明は、第１の光学ユニットと補正手段の間に、光のビーム形を整形するビーム整形手段を用いたことを特徴とする請求項１記載の光ピックアップ装置であり、記録または再生特性を向上させることができる。
【００１３】
請求項６記載の発明は、第１の光学ユニットと補正手段の間に、臨界角光学手段を設けたことを特徴とする請求項１記載の光ピックアップ装置であり、第１の光学ユニットから出射された光は臨界角光学手段にて補正手段に導かれて球面収差を補正された後、再び臨界角光学手段にて光ディスクの方へ導き、光ディスクで反射してきた光は臨界角光学手段にて補正手段に入射された後に、第１の光学ユニットに戻る構成とすることができるので、確実に球面収差を補正できるとともに、光利用効率のよい光ピックアップ装置が実現できる。
【００１４】
請求項７記載の発明は、ビーム径拡大手段を一対の集光部材を組み合わせて構成したことを特徴とする請求項１記載の光ピックアップ装置であり、ビーム径拡大の度合いを任意に調整できるので、光学設計が容易となる。
【００１５】
請求項８記載の発明は、補正手段を反射型ミラーとし、前記反射ミラーは変形可能であることを特徴とする請求項１記載の光ピックアップ装置であり、反射ミラーのミラー部分を任意に変形することで容易に球面収差を補正できる。
【００１６】
請求項９記載の発明は、反射ミラーはピエゾ素子によって変位可能としたことを特徴とする請求項８記載の光ピックアップ装置であり、精度良くミラー部を駆動させることができる、確実に球面収差を補正できる。
【００１７】
請求項１０記載の発明は、受光手段は、少なくとも２つに分割され、第１の受光手段は第１の光学ユニットに取り付けられ、第１の波長の光を受光し、第２の受光手段は第２の光学ユニットに取り付けられ、前記第１の波長よりも波長の長い光を受光することを特徴とする請求項１記載の光ピックアップ装置とすることで、各光に対して、好ましい受光手段形態を取ることができるので、正確なＲＦ信号やフォーカスエラー信号，トラッキングエラー信号，球面収差補正信号を得ることができる。
【００１８】
請求項１１記載の発明は、集光手段は、少なくとも第１の波長の光を主に集光する第１集光部と、前記第１の波長よりも長い波長を有する光を主に集光する第２の集光部とを備えたことを特徴とする請求項１記載の光ピックアップ装置であり、集光手段の設計が容易になり、構造が簡単になる。
【００１９】
請求項１２記載の発明は、第１及び第２の光学ユニット側から第１集光部と第２集光部を順に併設したことを特徴とする請求項１１記載の光ピックアップ装置であり、集光手段の小型化などを行うことができる。
【００２０】
請求項１３記載の発明は、集光手段と光学手段の間に少なくとも第１、第２及び第３の斜面を有した立ち上げ手段とを備え、前記第１の斜面は第１の波長の光か前記第１の波長よりも波長の長い光の一方を透過させるとともに他方の光を反射させ、前記第２の傾斜面は前記一方の光を反射させ、第３の斜面で透過屈折させ、前記第１傾斜面で反射された光は第１の集光部に、第３傾斜面から出た光は第２の集光部の一方に入射されることを特徴とする請求項１１記載の光ピックアップ装置であり、確実に光を所定の集光手段に導くことができ、小型化を実現できる。
【００２１】
請求項１４記載の発明は、第２の光学ユニットと複数のレーザ光を略同軸上に導くビームスプリッターとの間に、リレーレンズを設けたことを特徴とする請求項１記載の光ピックアップ装置であり、凸レンズとの組合せでレーザー部１０１から出力された発散したレーザー光を略平行光にするために使用される。また、波長変動及び温度変化等の影響により発生する色収差を補正する機能も有することも可能である。
【００２２】
請求項１５記載の発明は、集光部材として一対の凸レンズを用いたことを特徴とする請求項７記載の光ピックアップ装置であり、汎用のレンズを用いることができ、コスト的に有利である。
【００２３】
請求項１６記載の発明は、ビーム径拡大手段の内、焦点距離が短い凸レンズの焦点距離と、補正手段用の反射ミラー間距離が略一致させたことを特徴とする請求項１５記載の光ピックアップ装置であり、光学特性を向上させることができる。
【００２４】
請求項１７記載の発明は、ビーム径拡大手段の間に、光学手段を設けたことを特徴とする請求項１記載の光ピックアップ装置であり、光学特性を向上させることができる。
【００２５】
請求項１８記載の発明は、第１の光学ユニットから出た光は、少なくとも１箇所クロス
させたことを特徴とする請求項１記載の光ピックアップ装置であり、小面積で光の引き回しを行うことができる。
【００２６】
請求項１９記載の発明は、複数のレーザ光を略同軸上に導く光学手段において、波長が略４０５ｎｍは反射で、波長６６０ｎｍ及び７８０ｎｍに対しては透過であることを特徴とする請求項１記載の光ピックアップ装置であり、青色から青紫までの光を確実に使用できる。
【００２７】
請求項２０記載の発明は、第２の光学ユニットから出射された光は直線的に光学部材に入射され、第１の光源ユニットは複数回反射されて、光学部材に入射されることを特徴とする請求項１記載の光ピックアップ装置であり、光学系を小面積で構成できる。
【００２８】
請求項２１記載の発明は、第２の光学ユニットから出射された光と第１の光学ユニットから出射された光は交差する様に前記第１及び第２の光学ユニットを配置したことを特徴とする請求項１記載の光ピックアップ装置であり、光学系を小面積で構成できる。
【００２９】
請求項２２記載の発明は、第１の光学ユニットはループさせて集光手段に導くことを特徴とする請求項１記載の光ピックアップ装置であり、光学系を小面積で構成できる。
【００３０】
請求項２３記載の発明は、光ディスクを回転させる駆動手段と、請求項１〜２２いずれか１記載の光ピックアップ装置を搭載し前記駆動手段に対して移動可能に取り付けられたキャリッジとを備えたことを特徴とする光ディスク装置であり、薄型化，小型化の少なくとも一方を実現できる。
【００３１】
以下、本発明の実施における形態１の光ピックアップ装置について図面を参照しながら説明する。図１は本発明の一実施の形態における光ピックアップ装置を示す平面図で、図２は本発明の一実施の形態における光ピックアップ装置の側面図である。
【００３２】
図１、図２において、１は光ディスクで、光ディスク１は光を照射することで、情報の再生かもしくは情報の記録の少なくとも一方を行うことができる。具体的に光ディスク１としては、情報の再生のみが行えるＣＤ−ＲＯＭディスク，ＤＶＤ−ＲＯＭディスク等、情報の再生に加えて情報の記録が行えるＣＤ−Ｒディスク，ＤＶＤ−Ｒディスク等、情報の再生に加えて情報の記録／消去が可能なＣＤ−ＲＷディスク，ＤＶＤ−ＲＷディスク，ＤＶＤ−ＲＡＭディスク等が好適に用いられる。また、光ディスク１としては、略赤色の光で情報の記録もしくは再生の少なくとも一方が行える記録層を備えるもの、略赤外光で情報の記録もしくは再生が行える記録層を備えるもの、略青色〜略青紫の光で情報の記録あるいは再生が行える記録層を備えるものが使用可能である。更に光ディスク１の大きさとしては、様々な直径を有する円盤状のものを用いることが可能であるが、好ましくは３ｃｍ〜１２ｃｍの直径を有する円盤状のものを好適に用いられる。
【００３３】
２は光ディスク１を回転するためのスピンドルモータである。スピンドルモータ２には、光ディスク１を保持するチャッキング部（図示せず）が設けられている。スピンドルモータ２は光ディスク１を角速度一定で回転させたり或いは角速度を可変的に回転させたりすることが可能です。どのように角速度を一定或いは可変的に制御するかは、図示していないスピンドルモータ駆動手段及び光ディスク装置の制御部が状況に応じて切り替える。なお、本実施の形態では、光ディスク１の回転駆動手段としてスピンドルモータ２を用いたが、他の種類のモータや他の手段を用いて、回転駆動させても良い。
【００３４】
３は光ディスク１に光を照射することで情報を光ディスク１に記録及び光ディスク１から情報を読み取るための光ピックアップである。
【００３５】
４は光ピックアップ３のベースとなるキャリッジ、５は後述する対物レンズを略三次元的に移動させる光ピックアップアクチュエータである。キャリッジ４は少なくとも支持シャフト６とガイドシャフト７で支持されており、光ディスク１の内周と外周との間を移動可能となっている。またキャリッジ４は、光ピックアップアクチュエータ５と光学部或いは光源を搭載している。
【００３６】
８は青紫色のレーザー部８１及び受光素子部８２及び前光モニター部５００を備えた集積素子で、詳細は図３を用いて説明する。レーザー部８１は略４０５ｎｍのレーザー光を発生するレーザーダイオード８１ａを有しており、このレーザーダイオード８１ａは、ベース８１ｂで構成される空間内に配置されている。
【００３７】
なお、本実施の形態では、青紫色の光を出射するレーザーダイオード８１ａを用いたが、青色〜紫色の光を出射するレーザーダイオードを用いて良い。なおこの様な短波長のレーザー光を出射するレーザーダイオードとしては、ＧａＮにＩｎなどの発光中心を添加した活性層をＧａＮを主成分としｐ型不純物をドープしたｐ型層と、ＧａＮを主成分としｎ型不純物をドープしたｎ型層で挟み込んだものが好適に用いられる。所謂、窒化物半導体レーザーが好適に用いられる。
【００３８】
また、ベース８１ｂには端子８１ｃが複数本立設されており、この端子８１ｃはアース端子，レーザーダイオード８１ａに電流を供給する端子などで構成されている。
【００３９】
８３はベース８１ｂの上に接着などの手法によってベース８１ｂに直接取り付けられたプリズムで、レーザーダイオード８１ａから出射されたレーザー光８４を透過させて光ディスク１への照射光とするとともに、光ディスク１からの戻り光を受光素子部８２に導くプリズムである。プリズム８３には、レーザー光８４をモニターするため傾斜面８３ｃには、ビームスプリッタ膜が設けられており、このビームスプリッタ膜で、前光モニター部５００へレーザー光８４の一部を反射してレーザー光８４の出力レベルをモニタリングできる構成になっている。また、受光素子部８２側に導いた位置に、更に波長略４０５ｎｍのレーザー光８４を分割する回折格子（図示せず）が設けられ、フォーカス検出、トラッキング検出、球面収差検出、光ディスク１上に記録された信号等の検出及び制御用信号を取り出せるようになっている。なお、本実施の形態では、プリズム８３とベース８１ｂの間に透明なカバー部材８３ａを設けた。このカバー部材８３ａはベース８１ｂ上に接着などの手法を用いて直接接合されている。プリズム８３には互いに略平行で傾斜した傾斜面８３ｂ〜８３ｄが設けられており、この傾斜面８３ｂ〜８３ｄにビームスプリッタ膜やホログラムなどの光学素子が配設されている。この傾斜面８３ｂ〜８３ｄは、透明なガラスブロックや樹脂ブロック同士などの接合面に相当する。具体的には、傾斜面８３ｂには、フォーカス検出、トラッキング検出、球面収差検出、光ディスク１上に記録された信号等の検出及び制御用信号を取り出すためのホログラムが形成されている。傾斜面８３ｂには、偏光ビームスプリッター膜が形成され、Ｐ波の一部は前光モニター部５００へ導くために、数％〜数十％反射する膜でもある。傾斜面８３ｄには、波長４０５ｎｍの光を完全透過する膜が施されている。また、本実施の形態では、傾斜面は３つ設けたが、１乃至複数設けても良い。また、カバー部材８３ａに、設ける回折格子としては、例えば、レーザーダイオード８１ａから出射された光の強度分布を非均一になるような（例えば、光スポットの中心部の輝度が低く、外周部の輝度が高くなるような）ものが作成されていてもよい。また、カバー部材８３ａに設けず、傾斜面８３ｃもしくは傾斜面８３ｄに設けても良い。この光ディスク１に向かう光軸方向とは異なる光軸方向に光の一部を導き、その導かれた光を例えばモニター光に使用されるようなもの等が好適に用いられる。更にカバー部材８３ａ上にプリズム８３を接着など手法で取り付けると、接合面である傾斜面８３ｂ〜８３ｄから外方に突出した接着材やあるいは傾斜面８３ｂ〜８３ｄに生じる凹部を緩和する
ことができる。すなわち、光学設計などによって、レーザーダイオード８１ａから出射された光が、この傾斜面８３ｂ〜８３ｄの外表面部に上述の様に形成された凹部や凸部に当たると、記録／再生特性に影響が及ぶ。従ってプリズム８３のレーザーダイオード８１ａ側にカバー部材８３ａを設けることで、前記凹部や凸部が形成されてもその凹凸を緩和できるので、記録特性などの劣化を防止できる。
【００４０】
受光素子部８２は、受光素子８２ａをカバーし、表面に透明なガラス基板８２ｂで覆うように構成されている。しかもケース８２ｃからは、受光素子８２ａと電気的に接続するための端子（図示ぜす）がケース８２ｃ表面に導出されている。他には、受光素子８２ａを波長４０５ｎｍ（青〜青紫の光）で劣化しない透明な部材で覆われた状態の受光素子８２でも可能であることは明白である。
【００４１】
８５は結合部材でレーザー部８１と受光素子部８２の位置を決めるための部材であり、且つ前光モニター部５００の位置を決めるための部材である。受光素子部８２の端子（図示せず）にはフレキシブル基板８６が接合され、そのフレキシブル基板８６は、レーザーフレキシブル基板９に半田等で結合されている。
【００４２】
１０は赤及び赤外色のレーザー部１０１及び受光素子部１０２及び前光モニター部５０１を備えた集積素子で、詳細については図４を用いて説明する。レーザー部１０１には、波長略６６０ｎｍのレーザー光を出射するレーザーダイオード１０３と波長略７８０ｎｍのレーザー光を出射するレーザーダイオード１０４を有しており、このレーザーダイオード１０３，１０４は、ベース１０１ａで構成される空間内に配置されている。
【００４３】
なお、本実施の形態では、レーザーダイオード１０３，１０４をそれぞれ別の発光体ブロックとして、それぞれ空間内に配置したが、一つの発光体ブロックに、複数の発光層を設け、一つの発光体ブロックを空間内に配置する構成でも良い。また、本実施の形態では、２つの異なる波長のレーザーダイオードを搭載したが、３つ以上の異なる波長のレーザーダイオードを空間内に設けた構成としても良い。
【００４４】
また、ベース１０１ａには端子１０１ｂが複数本立設されており、この端子１０１ｂはアース端子，レーザーダイオード１０３，１０４に電流を供給する端子，モニター光の出力端子などで構成されている。１０５はレーザー光１０６を透過し、戻り光を受光素子１０２に導くプリズムである。プリズム１０５には、傾斜面１０５ｃには偏光ビームスプリッタ膜が設けられ、前光モニター部５０１へレーザー光１０６の一部を反射してレーザー光１０６の出力レベルをモニタリングできる構成になっている。また、受光素子１０２側に導いた位置に、更に波長７８０ｎｍのレーザー光１０６を分割する回折格子（図示せず）が設けられ、フォーカス検出、トラッキング検出、光ディスク１上に記録された信号及び制御信号等の検出ができるようになっている。プリズム１０５には互いに略平行で傾斜した傾斜面１０５ａ〜１０５ｃが設けられており、この傾斜面１０５ａ〜１０５ｃにはビームスプリッタ膜やホログラムなどの光学素子が配設されている。具体的には、１０５ａには、波長７８０に最適に形成された回折格子（図示せず）が施され、傾斜面１０５ｂには波長７８０ｎｍに対しては、偏光ビームスプリッターでＰ波光は透過、Ｓ波光は反射し且つ波長６６０ｎｍに対しては透過する膜が形成され、傾斜面１０５ｃには波長７８０ｎｍに対しては、ビームスプリッターで一部のＰ波を反射及び透過し、波長６６０ｎｍに対しては偏光ビームスプリッターで一部のＰ波を反射及び透過し、Ｓ波に対しては全反射する膜が形成されている。上記、波長７８０ｎｍ及び６６０ｎｍのＰ波の一部は、前光モニター部５０１へ導かれている。
【００４５】
この傾斜面１０５ａ〜１０５ｃは、透明なガラスブロックや樹脂ブロック同士などの接合面に相当する。なお、本実施の形態では、傾斜面は３つ設けたが、１乃至複数設けても
良い。
【００４６】
また、必要に応じてプリズム１０５のレーザー部１０１側には、３ビームを構成するための回折格子（図示せず）が作成されて、一方のレーザー波長が他の波長から影響を受けないように、例えば、偏光を利用した３ビーム回折格子となっている。
【００４７】
１０８は結合部材でレーザー部１０１と受光素子部１０２の位置を決めるためと、前光モニター部５０１の位置を決めるための部材である。１０９はビームコンバイナー機能を有した回折格子で、波長６６０ｎｍは作用せず、波長７８０ｎｍには作用するようになっており、波長７８０ｎｍの見かけの仮想発光点が波長６６０ｎｍの仮想発光点と一致するようになっている。また、回折格子１０９は上記ビームコンバイナー機能を有さなくても光学的に許容できることも可能である。
【００４８】
回折格子１０９は複数の板状体を積層した構成となっており、この複数の板状対のうち少なくとも一つに格子が設けられている。また、接着などの手法によって直接ベース１０１ａに接合されている。
【００４９】
レーザーダイオード１０３，１０４いずれか一方から出射された光は、回折格子１０９，プリズム１０５を通過して光ディスク１に導かれ、光ディスク１で反射した反射光は、プリズム１０５を通過して受光素子部１０２に導かれる。この時、プリズム１０５において光ディスク１からの反射光は、傾斜面１０５ａと傾斜面１０５ｂ間で反射されて、受光素子部１０２に入射される。
【００５０】
受光素子部１０２は、受光素子１０２ａを透明な部材を含むケース１０２ｂで覆われており、しかもケース１０２ｂからは、受光素子１０２ａと電気的に接続された端子１０２ｃがケース１０２ｂの外方へ導出されている。
【００５１】
受光素子部１０２の端子１０２ｃにはフレキシブル基板（図示せず）が接続されており、レーザーフレキシブル基板９に半田等で結合されている。
【００５２】
１１は波長４０５ｎｍ用のコリメートレンズで、レーザー部８１から出力された発散したレーザー光８４を略平行光にするために使用される。またコリメートレンズ１１は、波長変動及び温度変化等の影響により発生する色収差を補正する機能も有している。１２はビーム整形プリズムで、レーザー光８４の強度分布を略円形状に補正する。１３は臨界角プリズムでレーザー光８４を分離するために使用される。１４は収差補正ミラーで光ディスク１の厚み誤差等により発生する球面収差を補正するために使用される。
【００５３】
ここで、収差補正ミラーについて、図５〜図８を用いて説明する。
【００５４】
図５（ａ）〜図５（ｃ）はそれぞれ本実施の形態にかかる光ピックアップに用いられる収差補正ミラーの概略の平面図（最上面）、破線Ａ−Ｂの断面図、および平面図（最下面）における断面図である。基板１５上には下部電極１６、圧電体１７、上部電極１８，１９、および弾性体２０が形成される。基板１５は裏側（図面下側）に円形のキャビティ部２１を有し、反射膜２２が形成される。下部電極１６はパターンニングされて電極パッド２３に引き回される。同様に上部電極１８、１９もパターンニングされて電極パッド２４、２５にそれぞれ引き回される。
【００５５】
図６に上部電極１８，１９の構成を示す。上部電極１８，１９は絶縁部２６によって互いに絶縁される。この例において上部電極１８は円形で、上部電極１９は上部電極１８と中心を略同一にする環状電極とした。上部電極１８からは配線が引き回され、電極パッド
２４に接続する。同様に、上部電極１９からは電極パッド２５に配線が引き回される。なお、本実施の形態では、上部電極１８，１９というように２つに分割したが、３以上に分割してもよく、しかも本実施の形態では、上部電極１８，１９を外形が円形状となるように構成したが、方形状や４角形以上の多角形状、あるいは三角形状としても良い。
【００５６】
図７に下部電極の構成を示す。下部電極１６は上部電極１８，１９とともに圧電体１７を挟み込んでおり、しかも下部電極１６は電極パッド２３へ配線される。
【００５７】
この構成において、下部電極１６を接地し、上部電極１８に正の電圧を、上部電極１９に負の電圧を与えた場合の、反射膜２２の変位の等高線（ａ）および変位図（ｂ）を図８に示す。図中Ｃ、Ｃ'およびＤ、Ｄ'はそれぞれ絶縁部２６、およびキャビティ部２１の外周部の位置に対応する。Ｄ、Ｄ'の位置がキャビティ部２１の外周部であり、この外周部分は拘束されているので変位がゼロである。変位はＣ−Ｄ、Ｃ'−Ｄ'に対応する環状部において下に凸で、Ｃ、Ｃ'の境界を境にＣ−Ｃ'の径に対応する部分において上に凸となる。球面収差の補正には一般に非球面形状が必要であるが、Ｃ−Ｃ'における曲面形状はまさに非球面形状である。したがって、本発明においては、Ｃ−Ｃ'における曲面部分、すなわち、上部電極１８の形状に対応する反射膜２２の部分、もしくはその内側を用いる。これにより、収差補正ミラーが非常に精度の高い収差補正を実現することが可能となる機能部品である。なお、本実施の形態では、薄膜形成された圧電体１７を用いた収差補正ミラーを設けたが、バルク状の圧電体で構成してもよく、あるいは他の変位可能な部材を用いて収差補正ミラーを駆動させても良い。また、圧電体１７を用いずに、複数のレンズを組み合わせ、その複数のレンズの内少なくとも一つを移動させることで、球面収差を補正させることができる。
【００５８】
次に２７はビームスプリッターで、集積素子８及び集積素子１０から発光されたレーザー光８４及びレーザー光１０６を分離及び結合し、レーザー光８４に対しては位相も揃えた構成となっている。また、集積素子８側には、波長４０５ｎｍに対してλ／４板５０２が接着等の手段によって貼り付けられている。
【００５９】
２９は正のパワーを有した凸レンズで、３０は正のパワーを有した凸レンズである。この凸レンズ２９と凸レンズ３０の組合せで、レーザー光８４を所望のビーム径に拡大している。また、凸レンズ２９と３０の間にはレーザー光８４を一度焦点を結ぶようになっている。このように、凸レンズ２９と凸レンズ３０の間に一度焦点を結び、且つ凸レンズ２９の焦点距離と凸レンズ２９と収差補正ミラー１４間の距離を略一致させることで、収差補正ミラー１４で球面収差補正用として発生された発散光や収束光による対物レンズ部におけるＦＦＰ分布変動を抑制することが可能である。２８は波長６６０ｎｍ及び７８０ｎｍ用のリレーレンズで、凸レンズ３０との組合せでレーザー部１０１から出力された発散したレーザー光１０６を略平行光にするために使用される。また、波長変動及び温度変化等の影響により発生する色収差を補正する機能も有することも可能である。
【００６０】
３１は立上プリズムで、第１面３１１で波長６６０ｎｍ及び７８０ｎｍのレーザー光１０６に対しては反射する機能を有し、波長４０５ｎｍに対しては透過屈折する機能を有した誘電多層膜が形成されている。また、第２面３１２は４０５ｎｍが反射できるようになっており、位相も揃えた構成となっている。このように、立上プリズム３１を一枚のプリズムで構成することで、後述するアクチュエータの剛性を増すことも可能となっている。３２は波長６６０ｎｍに対応した光ディスク（ＤＶＤ）１用の対物レンズで、波長７８０ｎｍに対応した光ディスク（ＣＤ）１に対しても平行光で所望の記録位置に焦点を結ぶことのできる機能を有した対物レンズである。３３は波長４０５ｎｍに対応した光ディスク（Ｂｌｕ−ＲａｙもしくはＡＯＤ）１用の対物レンズである。実施の形態では、対物レンズ３２がスピンドルモータセンター位置に配置しており、対物レンズ３３は対物レンズ３
２に対し凸レンズ３０と反対側、つまりは光ディスク１に対してタンジェンシャル方向に配置している。また、対物レンズ３３の厚みは対物レンズ３２よりも厚くなるように構成する。本実施の形態の様に、光源から出射された光がまず最初に第１面３１１で比較的長波長の光を立ち上げ、比較的短波長の光を第１面３１１を通過した後に第２面３１２で立ち上げる構成、すなわち、図１に示す構成では各レーザー部８１，１０１側に長波長に対応する対物レンズ３２を配置し、対物レンズ３２よりも遠い位置に対物レンズ３３を設ける構成とすることで、比較的立上プリズム３１に入射されるまでの光の引き回す経路を長くすることができ、光学設計を容易にすることができる。
【００６１】
しかしながら、立上プリズム３１の第１面３１１面が波長６６０ｎｍ及び７８０ｎｍのレーザー光１０６を透過し、波長４０５ｎｍのレーザー光８４を反射させ、第２面３１２面が波長６６０ｎｍ及び７８０ｎｍのレーザー光１０６を反射する構成であれば、対物レンズ３３は対物レンズ３２に対してレーザー側に配置しても構成可能である（図１１，図１２参照）。
【００６２】
３４は開口フィルターで、開口フィルター３４はＣＤ及びＤＶＤの光ディスク１に対応するための必要な開口数を実現するための開口フィルターとＤＶＤの光に対して反応する偏光ホログラムで構成され、誘電多層膜、ホログラム開口等の手段で開口フィルター３４は実現され、ＤＶＤの光に対してフォーカス検出、トラッキング検出、光ディスク１上に記載された信号等を検出できるようになっている。また、開口フィルター３４には、波長６６０ｎｍ及び７８０ｎｍに対応したλ／４板が一体に形成され、往路と復路において、偏光方向を略９０度偏光させている。
【００６３】
次に、対物レンズ３２及び３３を保持したアクチュエータについて図９、図１０を用いて説明する。図９は本発明の一実施の形態における光ピックアップ装置のアクチュエータを示す正面図で、図１０は本発明の一実施の形態における光ピックアップ装置のアクチュエータを示す断面図を示す。
【００６４】
図９、図１０において、３５は対物レンズ３２，３３とλ／４板と開口フィルターとＤＶＤの光に反応する偏光ホログラム３４とを接着等の手段で固定できる対物レンズ保持筒である。
【００６５】
３６，３７はそれぞれフォーカスコイルで、それぞれ略リング状に巻線されており、３８，３９はトラッキングコイルでフォーカスコイル３６，３７と同様にそれぞれ略リング状に巻線されている。これらフォーカスコイル３６，３７、トラッキングコイル３８，３９も対物レンズ保持筒３５に接着剤等で固定されている。４０，４１はサスペンションワイヤであり、このサスペンションワイヤ４０，４１は対物レンズ保持筒３５とサスペンションホルダー４２を連結しており、少なくとも対物レンズ保持筒３５は所定の範囲で、サスペンションホルダー４２に対して変位可能となっている。サスペンションワイヤ４０，４１の両端部はそれぞれ対物レンズ保持筒３５とサスペンションホルダー４２にインサート成型で固定されている。サスペンションワイヤ４０には、フォーカスコイル３６，３７も半田付け等で固定され、サスペンションワイヤ４１には、トラッキングコイル３８，トラッキングコイル３９も半田付け等で電気的に接続されている。サスペンションワイヤ４０は、フォーカスコイル３６，３７のそれぞれと、また直列に接合されたトラッキングコイル３８，３９に対し電力を供給できるように、好ましくは６本以上の丸ワイヤもしくは板バネ等で構成されている。
【００６６】
サスペンションホルダー４２には半田等で固定するため、フレキシブル基板４３が接着等で固定されている。４４，４５はフォーカスマグネットでフォーカスコイル３６，３７よりもマグネット幅方向（トラッキング方向）を小さく構成してあり、フォーカスコイル
３６、３７のコイル中心位置よりも光ディスク１の外周側のフォーカスマグネット４４は外周よりに対向して配置されており、光ディスク１の内周側のフォーカスマグネット４５は内周よりに対向して配置されている。４６，４７はトラッキングマグネットで、トラッキングコイル３８，３９に対向して配置されている。また、フォーカスマグネット４４，４５はフォーカス方向に、トラッキングマグネット４６，４７はトラッキング方向に磁極がそれぞれ分割され、一極がフォーカスコイル３６，３７及びトラッキングコイル３８，３９の略リング状の一片に対向し、他極側が、フォーカスコイル３６，３７及びトラッキングコイル３８，３９における略リング状の他の部分に対向するように配設されている。このとき、フォーカスマグネット４４，４５と磁気ヨーク４８でそれぞれフォーカス磁気回路、トラッキングマグネット４６，４７と磁気ヨーク４８でそれぞれトラッキング磁気回路を構成し、このフォーカス磁気回路の中にそれぞれフォーカスコイル３６，３７、トラッキング磁気回路の中にそれぞれトラッキングコイル３８，３９が１個ずつ配設された構成が実現でき、それぞれのコイルに通電することによりそれぞれ独立して制御することが可能になる。なお、本実施の形態においてはフォーカスコイル３６，３７を独立に制御していることを説明しているが、フォーカスコイル３６，３７、トラッキングコイル３８，３９をすべて独立に制御するのもよい。この場合サスペンションワイヤ４０及び４１は全体で少なくとも８本必要となるが、どちらか一方のペア、例えばフォーカスコイル３６，３７のみを独立に制御した場合にはサスペンションワイヤ４０及び４１は少なくとも６本ですむ。
【００６７】
ところで、フォーカスマグネット４４，４５，トラッキングマグネット４６，４７は、分割するときマグネットの着磁を多極着磁にせずそれぞれの単一の磁極を有するマグネットを分離し貼り合わせたタイプにすることにより極間に発生するニュートラルゾーンを抑えることができ、各コイルのフォーカスシフト及びトラッキングシフトに伴う磁気回路特性の劣化を最小限に抑えることができる。チルトマージンが狭い高密度光ディスクの制御を行うためには、このように単極のマグネットを貼り合わすのが精度を上げるため必須である。
【００６８】
サスペンションワイヤ４０，４１には小型化とサスペンションワイヤ４０，４１の座屈方向の共振を低減させるために逆ハの字になってテンションが加えられている。また、磁気ヨーク４８は、磁気的な面からはフォーカスマグネット４４，４５及びトラッキングマグネット４６，４７の磁気的なヨークの役目を果たし、構造的な面からは、サスペンションホルダー４２を保持して固定する機能を担っており、接着剤等サスペンションホルダー４２を固定するのにも利用されている。サスペンションワイヤ４０，４１において、サスペンションホルダー４２側には、ダンピングを行うダンパーゲルが充填されている。ダンパーゲルはＵＶ等でゲル状になる材料を使用している。なお、以下、対物レンズ保持筒３５、フォーカスコイル３６，フォーカスコイル３７，トラッキングコイル３８，トラッキングコイル３９，対物レンズ３２，３３、λ／４板と開口フィルターとＤＶＤ光に反応する偏光ホログラム３４とで構成される部分を、光ピックアップアクチュエータ可動部という。
【００６９】
４９はレーザードライバーであり、レーザー部１０１内に内蔵する波長７８０ｎｍと波長６６０ｎｍの波長の半導体レーザーを発光させるため動作し、さらに各波長に対しノイズ低減のために重畳を掛ける機能も有している。また、レーザードライバー４９はキャリッジ４もしくは、キャリッジ上下に配置されるカバー板金（図示せず）とに接触状態とし放熱を効果的に行うことができる構造になっている。また、５０もレーザードライバーで、レーザー部８１内に内蔵する波長４０５ｎｍの波長の半導体レーザーを発光させるため動作し、さらに各波長に対しノイズ低減のために重畳を掛ける機能も有している。また、レーザードライバー４９同様に、キャリッジ４もしくは、キャリッジ上下に配置されるカバー板金（図示せず）とに接触状態とし放熱を効果的に行うことができる構造になってい
る。
【００７０】
次に、本実施の形態における光ピックアップの光学構成について説明する。
【００７１】
先ずは、波長４０５ｎｍについて説明する。
【００７２】
レーザー部８１から出射された波長４０５ｎｍの発散したレーザー光８４はコリメートレンズ１１で略並行になり、ビーム整形プリズム１２を通過して臨界角プリズム１３を介して反射ミラー機能を有した収差補正ミラー１４に到達する。収差補正ミラー１４より反射したレーザー光８４は再度臨界角プリズム１３に入射する。このとき、収差補正ミラー１４に入る入射光と反射光は臨界角プリズム１３の臨界角度前後数度の傾きを有しているように配置されている。また、臨界角プリズム１３ａと１３ｂとの間は空隙を設けている。このように構成することで、臨界角を利用して波長４０５ｎｍのレーザー光８４を効率よく分離することが可能となる。また、前記空隙に対向する臨界角プリズム１３ａ及び１３ｂの両面には、誘電体多層膜等の手段で、光透過効率を向上させることも可能である。次に臨界角プリズム１３から出射されたレーザー光８４は正のパワーを有した凸レンズ２９により集光され、再度発散光として、λ／４板５０２を通過して円偏光となる。次にビームスプリッター２７を通過して、凸レンズ３０を介して立上プリズム３１に入射して、第１面３１１を通過屈折して第２面３１２で反射し、第３面３１３を通過屈折する。反射したレーザー光８４は対物レンズ３３によって集光されて光ディスク１上に光スポットを形成する。光ディスク１から戻るレーザー光８４は、往路とは逆に通過し、λ／４板を通過することによって、往路とは略９０度の偏光方向に偏光され、最終的にはプリズム８３内のビームスプリッターにより分離され、受光素子部８２との間に構成される回折格子により受光素子部８２内の受光素子８２ａに導かれ、少なくとも球面収差誤差信号を生成する。波長４０５ｎｍにおいては、波長が従来に比べ短くなっているため、光ディスク１の保護層厚み等が変化した際に発生する球面収差が大きくなり、記録再生品質が大きく損なわれる。従って、上述した球面収差検出信号に応じて収差補正ミラー１４を駆動し、反射面を若干球面に変形させることによって、発生した球面収差を抑えられるようになっている。また、今回は収差補正ミラー１４を用いて球面収差を補正するようになっているが、上述した凸レンズ２９もしくは凸レンズ３０の少なくとも一方を光軸方向に移動させることでも球面収差を補正できることも可能である。
【００７３】
次に波長６６０ｎｍについて説明する。レーザー部１０１のレーザーダイオード１０３から出射された波長６６０ｎｍのレーザー光１０６は、回折格子１０９通過し、ビームを分離するプリズム１０５を介して、リレーレンズ２８と凸レンズ３０とで略並行になるようになっている。そのリレーレンズ２８と凸レンズ３０との間にビームスプリッター２７が配置され、上述した波長４０５ｎｍのレーザー光８４と略同軸上になるようになっている。凸レンズ３０からでた略平行光のレーザー光１０６は立上プリズム３１の第１面３１１で反射する。反射したレーザー光１０６は開口フィルター、偏光ホログラム、λ／４板の順に通過して円偏光となり、対物レンズ３２によって集光されて光ディスク１上に光スポットを形成する。このとき、偏光ホログラムは往路光のＰ波には作用せず、復路のＳ波で作用するようになっている。光ディスク１から戻るレーザー光１０６は、往路とは逆に通過し、λ／４板を通過することによって、往路とは略９０度の偏光方向に偏光され、偏光ホログラムにより必要に応じた光に回折されたレーザー光１０６は最終的にはプリズム１０５内の傾斜面１０５ｃに設けられた偏光ビームスプリッターにより分離され、受光素子１０２内の光検出器に導かれる。
【００７４】
続いて、波長７８０ｎｍについて説明する。レーザー部１０１のレーザーダイオード１０４から出射された波長７８０ｎｍのレーザー光１０６は、回折格子１０９により回折し７８０ｎｍ専用３ビームを形成する回折格子を通過し、ビームを分離するプリズム１０５
を介して、リレーレンズ２８と凸レンズ３０とで略並行になるようになっている。そのリレーレンズ２８と凸レンズ３０との間にビームスプリッター２７が配置され、上述した波長４０５ｎｍのレーザー光８４と略同軸上になるようになっている。凸レンズ３０からでた略平行光のレーザー光１０６は立上プリズム３１の第１面３１１で反射する。反射したレーザー光１０６は開口フィルター、偏光ホログラム、λ／４板の順に通過して円偏光となり、対物レンズ３２によって集光されて光ディスク１上に光スポットを形成する。このとき、偏光ホログラムは波長７８０ｎｍにはほとんど影響しないようになっている。光ディスク１から戻るレーザー光１０６は、往路とは逆に通過し、λ／４板を通過することによって、往路とは略９０度の偏光方向に偏光され、最終的にはプリズム１０５内の傾斜面１０５ｂに設けられた偏光ビームスプリッターにより分離され、受光素子１０２との間に構成される回折格子（図示せず）により受光素子１０２内の光検出器に導かれる。
【００７５】
このような光学構成にすることで、凸レンズ２９及び凸レンズ３０で構成されたビームエクスパンダー機能と集積素子８との間に球面収差を補正する収差補正ミラー１４及びコリメートレンズ１１を配置することで、収差補正ミラー１４の部品サイズにおける小型化が実現でき、コリメートレンズ１１と集積素子８との間隙を短くすることができ、凸レンズ３０を集積素子１０内のレーザダイオード１０３、１０４の一部のコリメートレンズとしているため、光ピックアップ３の小型化及び薄型化が実現できる。
【００７６】
次に、本実施の形態における光ピックアップアクチュエータ可動部の動作について説明する。図示しない電源より、サスペンションホルダー４２に取り付けられたフレキシブル基板４３、これと接続されたサスペンションワイヤ４０及び４１を介して、フォーカスコイル３６，３７、トラッキングコイル３８，３９に電力が供給される。サスペンションワイヤ４０及び４１はトータルとして少なくとも６本以上設けられており、そのうち２本は、直列に設けられたトラッキングコイル３８，３９に接続され、残り４本のうちの２本はフォーカスコイル３６に接続され、残り２本がフォーカスコイル３７の接続されている。これによって、フォーカスコイル３６，３７はそれぞれ独立に通電制御することが可能になる。
【００７７】
フォーカスコイル３６とフォーカスコイル３７にいずれも正方向（または負方向）に電流を流すと、フォーカスコイル３６，３７とフォーカスマグネット４４，４５の配置関係と、２分割した磁極の極性の関係からフォーカス方向に可動にできるフォーカス磁気回路が形成され、電流を流す方向及び量に応じてフォーカス方向の制御が可能になる。次に、トラッキングコイル３８，３９に正方向（または負方向）に電流を流すと、トラッキングコイル３８，３９とトラッキングマグネット４６，４７の配置関係と、２分割した磁極の極性の関係からトラッキング方向に可動にできるトラッキング磁気回路が形成され、トラッキング方向の制御が可能になる。
【００７８】
ところで、実施の形態においては、上述したようにフォーカスコイル３６とフォーカスコイル３７にはそれぞれ独立して電流を流すことができるようになっている。従って、一方のコイルに流す電流の向きを反転すると、フォーカスコイル３６には光ディスク１へ近づく方向への力が働き、フォーカスコイル３７には光ディスク１から離れる方向へ力が働く。この結果、相反する力により、光ピックアップアクチュエータ可動部にはラジアル方向に回転するモーメントが発生し、６本のサスペンションワイヤ４０及び４１に働く捻りモーメントとの力が釣り合う位置までチルトする。このフォーカスコイル３６，フォーカスコイル３７に流す方向及び量に応じてチルト方向の制御が可能になる。
【００７９】
以下対物レンズ３２，３３について説明する。
【００８０】
図１０に示すように対物レンズ３２の最大厚みをｔ１とし、対物レンズ３３の最大厚み
をｔ２としたときに、ｔ２／ｔ１＝１．０５〜３．６０とすることが好ましい。すなわち、ｔ２／ｔ１が１．０５より小さいと、対物レンズ３３の径を大きくしなければならず、光ピックアップ３が大きくなってしまい小型化を行えず、また、ｔ２／ｔ１が３．６０より大きいと、対物レンズ３３の厚みが厚くなりすぎて薄型化に不向きである。
【００８１】
この様に、短波長の光に対応する対物レンズ３３を長波長用の対物レンズ３２よりも厚く構成することで、装置の小型化などを行うことができ、しかも上記厚みの比率を規定することで、特に装置の薄型化、小型化を実現できる。
【００８２】
次に、対物レンズ３３において対物レンズ３２よりも光ディスク１側に突出している突出量について説明する。光ディスク装置の厚みが１３ｍｍ以下の装置になると、対物レンズ３２，３３と装着された光ディスク１の間隔が非常に狭くなってくる。従って、対物レンズ３２を基準に考えると、図１０に示す突出量ｔ３は、０．０５ｍｍ〜０．６２ｍｍとすることが好ましいことが分かった。突出量は対物レンズ３２の光ディスク１が装着される側の最大突出部分と、対物レンズ３３の光ディスク１が装着される側の最大突出部分の差で表されている。ｔ３が０．０５ｍｍよりも小さいと、対物レンズ３２，３３のいずれか一方のレンズ径を大きくしなければならず、小型化に不向きであり、ｔ３が０．６２ｍｍよりも大きく突出すると、光ディスク１との接触する確率が高くなる。
【００８３】
この様に、短波長の光に対応する対物レンズ３３を上述の様に突出させることによって、小型化或いは信頼性を向上させることができる。
【００８４】
また、図１に示すように、キャリッジ４の移動方向Ｌに沿って、しかもスピンドルモータ２のセンターを通るセンターラインＭ上に長波長に対応した対物レンズ３２のセンターが略一致するように構成することが好ましい。すなわち、この様な構成によって、従来光検出方式でもっとも実績のある３ビームＤＰＰ（デファレンシャルプッシュプル）方式を採用することができる。
【００８５】
対物レンズ３２，３３に入射する光のスポットの径について説明する。
【００８６】
図２に示す、対物レンズ３２に入射する光スポットの径をｔ４とし、対物レンズ３３に入射する光スポットの径をｔ５としたときに、ｔ５／ｔ４の関係を満たすことで、小型化を実現しやすい。また、レンズ設計などを考慮すると、ｔ５／ｔ４＝０．４〜１．０とすることが好ましい。ｔ５／ｔ４が０．４よりも小さいと、対物レンズ３３が造りにくく、しかも対物レンズ３２が大きくなり小型化には不向きであり、１．０より大きいと、対物レンズ３３の厚みが厚くなりすぎて小型化には不向きである。
【産業上の利用可能性】
【００８７】
本発明は、青色光専用の集光部及び赤，赤外用の集光部を設けた構成とすることで、確実に各光を光ディスク上に集光させることができ、しかも集光部の構造を簡単にすることができ、ブルーレーザーを含む多種の波長のレーザーに対応しても薄型化，小型化，特性劣化抑制の少なくとも一つを実現できる光ピックアップ装置及び光ディスク装置等に適応できる。
【図面の簡単な説明】
【００８８】
【図１】本発明の一実施の形態における光ピックアップ装置を示す平面図
【図２】本発明の一実施の形態における光ピックアップ装置を示す側面図
【図３】本発明の一実施の形態における光ピックアップ装置を示す部分拡大図
【図４】本発明の一実施の形態における光ピックアップ装置を示す部分拡大図
【図５】本発明の一実施の形態における光ピックアップ装置に用いられる収差補正ミラーを示す図
【図６】本発明の一実施の形態における光ピックアップ装置に用いられる収差補正ミラーを示す図
【図７】本発明の一実施の形態における光ピックアップ装置に用いられる収差補正ミラーを示す図
【図８】本発明の一実施の形態における光ピックアップ装置に用いられる収差補正ミラーを示す図
【図９】本発明の一実施の形態における光ピックアップ装置のアクチュエータを示す正面図
【図１０】本発明の一実施の形態における光ピックアップ装置のアクチュエータを示す断面図
【図１１】本発明の一実施の形態における光ピックアップ装置のアクチュエータを示す正面図
【図１２】本発明の一実施の形態における光ピックアップ装置のアクチュエータを示す断面図
【符号の説明】
【００８９】
１    光ディスク
２    スピンドルモータ
３    光ピックアップ
４    キャリッジ
５    光ピックアップアクチュエータ
８，１０    集積素子
１１    コリメートレンズ
１２    ビーム整形プリズム
１３    臨界角プリズム
１４    収差補正ミラー
２７    ビームスプリッター
２８    リレーレンズ
２９    凸レンズ
３０    凸レンズ
３１    立上プリズム
３２，３３    対物レンズ
【図１】
2005100513.tif 000003
【図２】
2005100513.tif 000004
【図３】
2005100513.tif 000005
【図４】
2005100513.tif 000006
【図５】
2005100513.tif 000007
【図６】
2005100513.tif 000008
【図７】
2005100513.tif 000009
【図８】
2005100513.tif 000010
【図９】
2005100513.tif 000011
【図１０】
2005100513.tif 000012
【図１１】
2005100513.tif 000013
【図１２】
2005100513.tif 000014